(57)【要約】【課題】安全性の高い新規な電力発電装置を提供すること。【解決手段】人体が飲食又は接触可能な燃料を導入する燃料導入部と、  前記導入部を通じて外部に露出し前記燃料と接触し得る負極を少なくとも備え、前記燃料から電気エネルギーを発生させる燃料電池部と、  前記電気エネルギーの外部への供給を制御する電子制御部と、を少なくとも有する電力供給装置を提供する。該電力供給装置は、安全性が高く、任意の場所で任意の燃料を必要に応じて供給することができるため、場所を選ばず電力の提供が可能である。【選択図】図１
2009048858.tif 000002
【特許請求の範囲】
【請求項１】
人体が飲食又は接触可能な燃料を導入する燃料導入部と、
前記導入部を通じて外部に露出し前記燃料と接触し得る負極を少なくとも備え、前記燃料から電気エネルギーを発生させる燃料電池部と、
前記電気エネルギーの外部への供給を制御する電子制御部と、  
を少なくとも有する電力供給装置。  
【請求項２】
前記燃料は、飲料であることを特徴とする請求項１記載の電力供給装置。
【請求項３】
前記燃料導入部は、加圧注入、負圧注入、接触吸水、毛細管現象の中から選択されるいずれか一の原理が用いられることを特徴とする請求項１記載の電力供給装置。
【請求項４】
請求項１記載の電力供給装置と、
該電力供給装置から供給される電力により、外部から感知し得る物理的な変化を自動的に表現する表現部と、
を少なくとも有する電子機器。
【請求項５】
前記物理的変化は、運動動作、音声出力、光学的出力の中から選択される一以上の変化であることを特徴とする請求項４記載の電子機器。
【発明の詳細な説明】
【技術分野】
【０００１】
本発明は、電力供給装置に関する。より詳しくは、人体に安全な燃料を必要に応じて供給することにより電力を供給し得る電力供給装置、及び該電力供給装置を用いた電子機器に関する。
【背景技術】
【０００２】
電子機器は、乾電池などの一次電池、自動車のバッテリーやリチウムイオン電池などの二次電池、又は、家庭用コンセントなどの一般電源などからの電力の供給により動力を得ている。一次電池とは、内部に反応物質を有しており、反応物質の化学反応により電流を生じる電池であり、反応物質がすべて消費されるまで使用できる電池である。二次電池は、内部に反応物質を有しており、電流を発生させることで反応物質が減少するが、充電することによって逆反応が起こり、生成物質がもとの反応物質に戻ることで繰り返し使用することが可能な電池である。
【０００３】
家庭用コンセントなどの一般電源は、携帯用の電子機器に用いることができず、また、災害時などの停電時には用いることができないという問題点がある。一方、一次電池や二次電池は携帯用にも便利であり、電力の供給が停止した場合でも用いることができるが、電力供給量が限られているため、電子機器の発達に伴い、十分な電力の供給ができないといった問題がある。また、二次電池は充電することで繰り返し使用することができるが、充電のためには外部電力が必要であるため、一旦、電力を消費してしまうと、一般電源と同様、停電時には用いることができないという問題がある。
【０００４】
そこで、近年では、燃料と空気を補給すれば、いつまでも発電し続けることができる燃料電池の開発が進んでいる。燃料電池は、従来の電池等に比べ、燃料の体積又は重量当たりの発電エネルギー量が数倍から数十倍であるため小型化し易く、また、排出物が少なくクリーンであることから、環境保護が叫ばれている今日では大きな注目を浴びている。
【０００５】
例えば、特許文献１には、燃料収納容器の変形により燃料を燃料電池部へ供給することができるように構成することで、燃料供給用のバッテリーを不要とし、小型化及び軽量化を図った燃料電池システム及び電子機器が開示されている。
【０００６】
特許文献２には、燃料としてメタノール水溶液を収納した燃料カートリッジを装着することにより、燃料を供給して発電する直接型メタノール燃料電池が開示されている。
【０００７】
特許文献３には、圧力開放弁を有することにより、燃料の噴出方向を燃料電池の挿入方向と垂直方向にすることにより、電子機器から燃料が噴出することを防止することができる燃料カートリッジ、及び該カートリッジを装着した燃料電池及び電子機器が開示されている。
【０００８】
これら従来からの燃料電池は、燃料として、水素、メタン、エタン、プロパンなどの気体、メタノールなどの液体が用いられている。しかし、これらの燃料は、人的悪影響や引火性の問題がある。例えば、燃料電池に多く用いられているメタノールは、人体への毒性が強く、取り扱う際などに人体が吸収すると、失明や最悪の場合は死亡に至るなどの危険性が高い。また、非常に揮発性が高いため、保管や使用時に爆発の危険性も伴うものである。
【０００９】
更に、前記燃料電池を用いた電子機器では、燃料電池の劣化に伴う液漏れや、誤操作等に伴う爆発事故、延焼事故などが度々起こり、電池の性能を高めるだけでなく、その安全性が強く求められている。  
【００１０】
【特許文献１】特開２００５−３３２６８７号公報。
【特許文献２】特開２００４−７１２６２号公報。
【特許文献３】特開２００７−６６７５６号公報。
【発明の開示】
【発明が解決しようとする課題】
【００１１】
そこで、本発明では安全性の高い新規な電力供給装置を提供することを主目的とする。
【課題を解決するための手段】
【００１２】
本発明では、まず、人体が飲食又は接触可能な燃料を導入する燃料導入部と、
前記導入部を通じて外部に露出し前記燃料と接触し得る負極を少なくとも備え、前記燃料から電気エネルギーを発生させる燃料電池部と、
前記電気エネルギーの外部への供給を制御する電子制御部と、
を少なくとも有する電力供給装置を提供する。  
前記燃料は、人体が飲食又は接触可能であれば、その種類は特に限定されないが、一例を挙げると、飲料を用いることができる。
前記燃料導入部への燃料の導入方法は、特に限定されないが、例えば、加圧注入、負圧注入、接触吸水、毛細管現象などの原理を用いることが可能である。
本発明では、次に、前記電力供給装置と、該電力供給装置から供給される電力により、外部から感知し得る物理的な変化を自動的に表現する表現部と、を少なくとも有する電子機器を提供する。
前記表現部は、様々な物理的変化を自動的に表現することができるが、一例を挙げると、運動動作、音声出力、光学的出力などの変化を、自動的に表現することができる。
【発明の効果】
【００１３】
本発明に係る電力供給装置は、人体が飲食又は接触可能な燃料を用いているため安全性が高く、任意の場所で必要に応じて燃料を供給することができるため、場所を選ばず電力の提供が可能である。
【発明を実施するための最良の形態】
【００１４】
以下、本発明を実施するための好適な形態について図面を参照しながら説明する。なお、以下に説明する実施形態は、本発明の代表的な実施形態の一例を示したものであり、これにより本発明の範囲が狭く解釈されることはない。
【００１５】
＜電力供給装置＞
図１は、本発明に係る電力供給装置１の基本構造の概要を示す図である。本発明に係る電力供給装置１は、大別すると、燃料導入部２と、燃料電池部３と、電子制御部４と、を備えている。なお、図１中符号５は、抵抗体を示しており、電子機器など電力の供給先に接続する役割を担っている。
【００１６】
（１）燃料導入部２
燃料導入部２は、電力供給に必要な燃料を電気供給装置１に導入できれば、その形態は特に限定されない。例えば、加圧注入、負圧注入、接触吸水、毛細管現象などの原理を用いることが可能である。接触吸水の一例として、図２に、燃料導入部２をスポンジで形成した電力供給装置１ａを示す。
【００１７】
この燃料導入部２には、人体が飲食又は接触可能な燃料が供給される。該燃料は、人体が飲食又は接触可能であって、燃料電池の燃料となり得るものであれば、その種類は特に限定されない。例えば、ジュース、スポーツ飲料、砂糖水、アルコール類などの飲料、化粧水などの化粧料等を用いることができる。即ち、日常生活において摂取する飲料や化粧料等を、本発明に係る電力供給装置１の燃料として用いることが可能である。その中でも特に、糖質、蛋白質、脂肪酸等を含むものが望ましい。これらの分解過程において、電気エネルギーを放出するからである。
【００１８】
（２）燃料電池部３
燃料電池部３は、負極３１と正極３２が、電子の通過を遮断するセパレーター３３を介して対向した構造を呈している。各極（負極３１、正極３２）とセパレーター３３の間には、集電体３４を備え、後述する電子制御部４と電気的に接続する役割を担っている。燃料電池部３では、負極３１で燃料の酸化反応により電子を放出し、該電子が集電体３４を通り正極３２へ移動し、正極３２で該電子と外部から供給される酸素を用いて還元反応が進行する、という一連の反応を進行させることにより電気エネルギーを発生させる。
【００１９】
燃料電池部３の負極３１は、前記燃料導入部２を通じて外部に露出している。従来、電力供給装置における各極（負極３１、正極３２）は、その安全性等の観点からも、外部に露出させないことが技術常識であった。しかし、本発明では、発想を大きく転換し、負極３１を外部に露出させる構成とすることで、任意の時に前記燃料を必要量補給できる電力供給装置１を見出した。そして、本発明に係る電力供給装置１は、人体が飲食又は接触可能な燃料を用いることで、任意の時に前記燃料を必要量補給できることに加え、燃料漏れなどによる安全面を担保している。
【００２０】
負極３１に用いる材料は公知のあらゆる素材を用いることができ、外部と電気的に接続可能な素材であれば特に限定されず、例えば、Pt、Ag、Au、Ru、Rh、Os、Nb、Mo、In、Ir、Zn、Mn、Fe、Co、Ti、V、Cr、Pd、Re、Ta、W、Zr、Ge、Hfなどの金属、アルメル、真ちゅう、ジュラルミン、青銅、ニッケリン、白金ロジウム、ハイパーコ、パーマロイ、パーメンダー、洋銀、リン青銅などの合金類、ポリアセチレン類などの導電性高分子、グラファイト、カーボンブラックなどの炭素材、HfB2、NbB、CrB2、B4Cなどのホウ化物、TiN、ZrNなどの窒化物、VSi2、NbSi2、MoSi2、TaSi2などのケイ化物、及びこれらの合材等を用いることができる。
【００２１】
負極３１には、必要に応じて酵素を固定しても良い。例えば、燃料として糖類を含む飲料等を用いる場合には、糖類を酸化分解する酸化酵素を固定するとよい。例えば、グルコースデヒドロゲナーゼ、グルコネート５デヒドロゲナーゼ、グルコネート２デヒドロゲナーゼ、アルコールデヒドロゲナーゼ、アルデヒドレダクターゼ、アルデヒドデヒドロゲナーゼ、ラクテートデヒドロゲナーゼ、ヒドロキシパルベートレダクターゼ、グリセレートデヒドロゲナーゼ、フォルメートデヒドロゲナーゼ、フルクトースデヒドロゲナーゼ、ガラクトースデヒドロゲナーゼなどが挙げられる。
【００２２】
また、負極３１には、上記の酸化酵素に加え、酸化型補酵素および補酵素酸化酵素を固定してもよい。酸化型補酵素としては、例えば、ニコチンアミドアデニンジヌクレオチド（nicotinamide adenine dinucleotide、以下「NAD＋」と称する。）、ニコチンアミドアデニンジヌクレオチドリン酸（nicotinamide adenine dinucleotide phosphate、以下「NADP＋」と称する。）フラビンアデニンジヌクレオチド（flavin adenine dinucleotide、以下「FAD＋」と称する。）、ピロロキノリンキノン（pyrrollo-quinoline quinone、以下「PQQ2＋」と称する。）などが挙げられる。補酵素酸化酵素としては、例えば、ジアフォラーゼが挙げられる。
【００２３】
負極３１では、燃料の酸化分解に伴い、上記の酸化型補酵素が、それぞれの還元型であるNADH、NADPH、FADH、PQQH２に還元され、逆に、補酵素酸化酵素により、還元型補酵素から酸化型補酵素へ戻されるという酸化還元反応が繰り返される。このとき、還元型補酵素から酸化型補酵素へ戻る際に２電子が発生する。
【００２４】
更に、負極３１には、上記の酸化酵素及び酸化型補酵素に加え、電子メディエーターを固定してもよい。上記で発生した電子の電極への受け渡しをスムーズにするためである。電子メディエーターとしては、例えば、２−アミノ−３−カルボキシ−１，４−ナフトキノン（ＡＣＮＱ）、ビタミンＫ３、２−アミノ−１，４−ナフトキノン（ＡＮＱ）、２−アミノ−３−メチル−１，４−ナフトキノン（ＡＭＮＱ）、２、３−ジアミノ−１，４−ナフトキノン、オスミウム（Ｏｓ）、ルテニウム（Ｒｕ）、鉄（Ｆｅ）、コバルト（Ｃｏ）などの金属錯体、ベンジルビオローゲンなどのビオローゲン化合物、キノン骨格を有する化合物、ニコチンアミド構造を有する化合物、リボフラビン構造を有する化合物、ヌクレオチド−リン酸構造を有する化合物などなどが挙げられる。
【００２５】
正極３２に用いる材料も公知のあらゆる素材を用いることができ、外部と電気的に接続可能な素材であれば特に限定されず、例えば、Pt、Ag、Au、Ru、Rh、Os、Nb、Mo、In、Ir、Zn、Mn、Fe、Co、Ti、V、Cr、Pd、Re、Ta、W、Zr、Ge、Hfなどの金属、アルメル、真ちゅう、ジュラルミン、青銅、ニッケリン、白金ロジウム、ハイパーコ、パーマロイ、パーメンダー、洋銀、リン青銅などの合金類、ポリアセチレン類などの導電性高分子、グラファイト、カーボンブラックなどの炭素材、HfB2、NbB、CrB2、B4Cなどのホウ化物、TiN、ZrNなどの窒化物、VSi2、NbSi2、MoSi2、TaSi2などのケイ化物、及びこれらの合材等を用いることができる。
【００２６】
正極３２では、負極３１から集電体３４を通して送り込まれる電子と、外部から供給される酸素を用いて還元反応が進行する。従って、正極３２は、外部から酸素を供給し得る状態に形成する必要がある。正極３２を空気に触れるように形成してもよいが、燃料となり得る溶液中で電力供給装置１を用いる場合には、正極３２の表面を撥水性にすることで酸素供給が達成し得る。
【００２７】
（３）電子制御部４  
電子制御部４は、前記燃料電池部で発生させた電気エネルギーを外部へ供給する際、電気エネルギー供給を制御する役割を担う。具体的には、燃料電池部３で発生する電気エネルギーの電圧を、電力の供給先となる外部装置（電子機器等）の仕様にあわせた電圧に調整する。
【００２８】
以上説明した電力供給装置１は、電力が供給できれば、その大きさや形状は特に限定されない。例えば、直方体、立方体、円柱、Ｌ字状、コ字状、又は、これらを変形した形状であってもよい。また、単数で用いることもできるが、複数を組み合わせて用いることも可能である。複数の電力供給装置１を用いる場合は、直列又は並列、或いは直列及び並列を組み合わせて接続して用いることができる。
【００２９】
＜電子機器＞
本発明に係る電力供給装置１は、電子機器に好適に用いることができる。図３は、本発明に係る電子機器６ａの一実施形態を示す図である。本発明に係る電子機器６ａは、大別すると、電力供給装置１と、表現部７ａと、を備えている（図３中（Ｉ）参照）。表現部７ａは、前記電力供給装置１から供給される電力により、外部から感知し得る物理的な変化を自動的に表現する。図３では、前記物理的変化の一例として、時計を作動するという運動動作による変化を挙げている。
【００３０】
電子機器６ａにおける電力供給装置１は、表現部７ａに電力を供給できれば、その配置や大きさは特に限定されない。図３に例示する電子機器６ａでは、図３（Ｉ）中の表現部７ａの右側に電力供給装置１を備えた構造をとっている。なお、図３（II）は、該電力供給装置１部分を拡大して示している。
【００３１】
本実施形態に係る電子機器６ａは、電力供給装置１の燃料導入部２が外部より視認できるように形成している。また、燃料導入部２の上部には、燃料導入口８ａを設けている。電力供給装置１の負極３１は、燃料導入部２及び燃料導入口８ａを通じて外部に露出するようになっている。
【００３２】
電子機器６ａは、燃料導入口８ａより人体が飲食又は接触可能な燃料を供給することにより作動することができる。該燃料は、人体が飲食又は接触可能であって、燃料電池の燃料となり得るものであれば、その種類は特に限定されない。例えば、ジュース、スポーツ飲料、砂糖水、アルコール類などの飲料、化粧水などの化粧料などを用いることができる。即ち、日常生活において摂取する飲料や化粧料等を、電子機器６ａの燃料として用いることが可能である。従って、任意の場所で、任意の燃料を補給することが可能である。
【００３３】
従来の電子機器は、家庭用コンセントなどの一般電源を用いる場合、災害時などの停電時には用いることができないという問題点があった。また、電池を用いる電子機器の場合、電池切れになると電池を交換するか充電をしなければ、電子機器を作動させることができなかった。しかし、本発明に係る電子機器６ａは、日常生活において摂取する飲料や化粧料等を燃料として用いることが可能であるため、外出時や災害時にも、飲料等さえあれば、電子機器６ａを作動させることができる。
【００３４】
また、本実施形態に係る電子機器６ａのように、燃料導入部２を外部より視認できるように形成することで、以下のような効果も生ずる。従来の電池は、燃料の残量を確認することができなかった。また、電池等を電子機器に使用した場合には、そのデジタル表示部等に、大体の電池残量が表示される機器は存在するが、具体的な燃料の残量を確認できる装置は存在しなかった。しかし、本実施形態に係る電子機器６ａのように、外部から燃料導入部２を視認可能とすれば、燃料の残量に合わせて、燃料が補給できるというメリットが生じる。また、燃料自体の動く様子などが視認できるため、視覚的な美的効果も奏し、燃料の色彩等を工夫すれば、一層、美的効果が増すといったメリットも生じる。
【００３５】
図４は、図３とは別の実施形態である人形型電子機器６ｂを示す図である。図４（Ｉ）中の破線円で示す人形型電子機器６ｂの頭部には、電力供給装置１ａが内蔵されている（図４（II）参照）。
【００３６】
電力供給装置１ａの燃料導入部２ａは、スポンジで形成し、接触吸水による燃料導入が可能な構成としている。
【００３７】
図４のように、燃料導入口８ｂより任意の燃料を補給すると、内蔵する電力供給装置１ａが電気エネルギーを発生させる。そして、該電気エネルギーにより、表現部（７ｂ１〜７ｂ３）が自動的に物理的変化を表現する。本実施形態に係る人形型電子機器６ｂの表現部は、運動動作として手７ｂ１や口７ｂ３を動かすように設計している。また、音声出力を行う表現部として、人形の腹部７ｂ３にラジオを内蔵している。
【００３８】
本実施形態に係る人形型電子機器６ｂは、日常生活において摂取する飲料や化粧料等を燃料として、作動させることが可能である。そのため、まるで本物のペットを育てているかの様な感覚を生じさせることが可能である。このように、本発明に係る電子機器は、燃料の補給行為自体にエンターテイメント性が備えられるという効果も生じる。
【００３９】
図５は、図３及び図４とは別の実施形態である蓋型電子機器６ｃを示す図である。本実施形態に係る蓋型電子機器６ｃは、飲料用容器の蓋に電力供給装置１ａを内蔵している。
【００４０】
電力供給装置１ａの燃料導入部２ａは、スポンジで形成し、接触吸水による燃料導入が可能な構成としている。また、本実施形態に係る蓋型電子機器６ｃの内部には、電力供給装置１ａを２個、直列に接続しているが、単数であっても、３個以上の複数を接続してもよい。また、複数の電力供給装置１ａを接続する場合には、直列に限らず、並列に接続することも可能である。なお、図５中矢印で示す正極３２の外側には、空気口を設けることが望ましい。正極３２での反応には、酸素が必要であるためである。
【００４１】
飲料が入った容器に、本実施形態に係る蓋型電子機器６ｃを装着した状態で、飲料容器を傾けるか、或いは、飲料容器を振ることにより、スポンジで形成された燃料導入部２ａに燃料が補給されると、内蔵する電力供給装置１ａが電気エネルギーを発生させる。そして、該電気エネルギーにより、後述する表現部が自動的に物理的変化を表現する。表現部の例を図６から図８に示す。
【００４２】
図６では、運動動作を行う表現部としてプロペラ７ｃ１を示している。本実施例に係る蓋型電子機器６ｃは、内蔵する電力供給装置１ａにより発生した電気エネルギーにより、前記プロペラ７ｃ１が回転するように設計されている。
【００４３】
図７では、光学的出力を行う表現部としてＬＥＤランプ７ｃ２を示している。本実施例に係る蓋型電子機器６ｃは、内蔵する電力供給装置１ａにより発生した電気エネルギーにより、ＬＥＤランプ７ｃ２が発光するように設計されている。
【００４４】
図８は、音声出力を行う表現部としてデジタル音楽プレーヤーを内蔵する蓋型電子機器６ｄを示す図である。本実施例に係る蓋型電子機器６ｄは、内蔵する電力供給装置１ａにより発生した電気エネルギーにより、デジタル音楽プレーヤーが作動するように設計されている。
【００４５】
以上説明した蓋型電子機器６ｃ、６ｄは、外部に電力を供給する手段を備えることで、携帯用の電力供給装置（以下「蓋型電力供給装置」と称する。）として用いることもできる。例えば、携帯電話や携帯用音楽プレーヤーに接続できるように設計しておけば、携帯電話や携帯用音楽プレーヤーの電池切れの際、飲料容器の蓋として前記蓋型電力供給装置を用いることで、その場で電力を補給することが可能となる。
【００４６】
図９は、図３から図８とは別の実施形態である昆虫型電子機器６ｅを示す図である。本実施形態に係る昆虫型電子機器６ｅは、燃料貯蔵部９ｅと、細管１０を介して連通している。また、昆虫型電子機器６ｅは、電力供給装置１を内蔵している。
【００４７】
図９のように、燃料貯蔵部９ｅに任意の燃料を補給すると、毛細管現象により燃料が細管１０を通じて電力供給装置１に導入される（図１０参照）。燃料が導入されると、内蔵する電力供給装置１が電気エネルギーを発生させる。そして、該電気エネルギーにより、表現部（７ｅ１、７ｅ２）が自動的に物理的変化を表現する。本実施形態に係る昆虫型電子機器６ｅの表現部は、運動動作として羽７ｅ１を動かすように設計している。また、光学的出力を行う表現部として、羽７ｅ１にＬＥＤランプ７ｅ２を設け、電気エネルギーにより発光するように設計している。
【００４８】
図１１は、図３から図１０とは別の実施形態である魚型電子機器６ｆを示す図である。本実施形態に係る魚型電子機器６ｆは、水槽１１ｆに任意の燃料を満たしておくことで作動する。詳しい原理について、図１２を用いて説明する。
【００４９】
図１２は、魚型電子機器６ｆの内部構造を摸式的に示す図である。本実施形態に係る魚型電子機器６ｆは、魚の表面に電力供給装置１の負極３１と正極３２が露出した形態をしている。例えば、魚の表皮をメッシュ素材で形成することにより、実現することができる。
【００５０】
魚型電子機器６ｆを、燃料が満たされた水槽１１ｆ（図１１参照）に入れると、負極３１が燃料に接触するため、電力供給装置１により電気エネルギーが発生する。そして、該電気エネルギーにより、表現部７ｆが自動的に物理的変化を表現する。本実施形態に係る魚型電子機器６ｆの表現部は、運動動作として尾ヒレ７ｆを動かして泳ぐように設計している。
【００５１】
本実施形態に係る魚型電子機器６ｆの電力供給装置１は、水槽１１ｆ自体が燃料導入部２としての役割を果たしているため、燃料導入部２を特に設けていないが、スポンジなどを用いて燃料導入部２を設けることも自由である。
【００５２】
図１３は、図３から図１２とは別の実施形態である船型電子機器６ｇを示す図である。本実施形態に係る船型電子機器６ｇは、水槽１１ｇに任意の燃料を満たしておくことで作動する。
【００５３】
本実施形態に係る船型電子機器６ｇは、船底から、スポンジで形成した燃料導入部２ａ、負極３１、セパレーター３３、正極３２の順に積層するように、電力供給装置１ａを内蔵している。
【００５４】
船型電子機器６ｇを、燃料が満たされた水槽１１ｇに浮かべると、燃料導入部２ａから接触吸水の原理に基づいて燃料が導入し、負極３１が燃料に接触するため、電力供給装置１により電気エネルギーが発生する。そして、該電気エネルギーにより、表現部（７ｇ１、７ｇ２）が自動的に物理的変化を表現する。本実施形態に係る船型電子機器６ｇの表現部は、運動動作としてスクリュー７ｇ１を動かして船を進ませるように設計している。また、光学的出力を行う表現部として、ＬＥＤランプ７ｇ２を設け、電気エネルギーにより発光するように設計している。
【００５５】
図１４は、図３から図１３とは別の実施形態である電子機器６ｈを示す図である。本実施形態に係る電子機器６ｈは、大別して、燃料貯蔵部９ｈと、電力供給装置１ｈと、表現部７ｈと、を備えている。電力供給装置１ｈには、図示しないが燃料導入部を設けており、該燃料導入部と燃料貯蔵部９ｈとは、燃料注入管１２を介し連通している。
【００５６】
図１４に示すように、前記燃料貯蔵部９ｈを加圧すると、燃料貯蔵部９ｈに満たされた燃料が、燃料注入管１２を通じて電力供給装置１ｈの燃料導入部に導入する。そして、電力供給装置１により電気エネルギーが発生し、該電気エネルギーが表現部７ｈに供給される。
【００５７】
本実施形態に係る電子機器６ｈの表現部は、前記電力供給装置１ｈから供給される電力により、外部から感知し得る物理的な変化を自動的に表現できれば、その構造や機能等は特に限定されない。例えば、携帯用音楽プレーヤー、携帯用デジタル音楽プレーヤー、携帯電話、パーソナルコンピューター、ゲーム機器等が挙げられる。
【００５８】
本実施形態に係る電子機器６ｈは、燃料貯蔵部９ｈと、電力供給装置１ｈと、表現部７ｈと、をそれぞれ分解して用いることも可能である。例えば、携帯に便利にするために、通常は燃料貯蔵部９ｈを取り外しておき、電力が必要な場合にのみ、電力供給装置１ｈと接続して電気エネルギーを発生させるという使い方も可能である。また、電力供給装置１ｈを、様々な電子機器に接続できるように工夫しておけば表現部７ｈを取り外した状態で携帯し、必要に応じて様々な電子機器の携帯用電源として用いることも可能である。
【産業上の利用可能性】
【００５９】
本発明に係る電力供給装置は、人体が飲食又は接触可能な燃料を用いているため安全性が高い。そのため、従来の電池のように、強固な燃料漏れ構造を形成する必要がなく、製造の際も高度技術を必要としないため、コストや時間の軽減にも貢献できる。
【００６０】
また、日常生活において摂取する飲料や化粧料等を燃料として用いることができるため、任意の場所で必要に応じて燃料を供給することができる。従って、災害時などの電力供給がストップした場合の電力源として貢献できる。
【００６１】
更に、本発明に係る電力供給装置は安全な燃料を用いるため、燃料漏れ等を懸念せず、自由な構造に設計することができる。そのため、本発明に係る電力供給装置を用いた電子機器には、エンターテイメント性を付加したり、視覚的美的効果を付加したりすることが可能である。
【図面の簡単な説明】
【００６２】
【図１】本発明に係る電力供給装置１の基本構造の概要を示す図である。
【図２】燃料導入部２をスポンジで形成した本発明に係る電気供給装置１ａを示す図である。
【図３】本発明に係る電子機器６の一実施形態を示す図である。
【図４】図３とは別の実施形態である人形型電子機器６ｂを示す図である。
【図５】図３及び図４とは別の実施形態である蓋型電子機器６ｃを示す図である。
【図６】蓋型電子機器６ｃの表現部７ｃ１を示す図である。
【図７】蓋型電子機器６ｃの図６とは異なる表現部７ｃ２を示す図である。
【図８】音声出力を行う表現部としてデジタル音楽プレーヤーを内蔵する蓋型電子機器６ｄを示す図である。
【図９】図３から図８とは別の実施形態である昆虫型電子機器６ｅを示す図である。
【図１０】昆虫型電子機器６ｅの燃料補給方法を摸式的に示す図である。
【図１１】図３から図１０とは別の実施形態である魚型電子機器６ｆを示す図である。
【図１２】魚型電子機器６ｆの内部構造を摸式的に示す図である。
【図１３】図３から図１２とは別の実施形態である船型電子機器６ｇを示す図である。
【図１４】図３から図１３とは別の実施形態である電子機器６ｈを示す図である。
【符号の説明】
【００６３】
１  電力供給装置
２  燃料導入部
３  燃料電池部
３１  負極
３２  正極
３３  セパレーター
３４  集電体
４  電子制御部
５  抵抗体
６ａ〜６ｈ  電子機器
７ａ〜７ｈ  表現部
【図１】
2009048858.tif 000003
【図２】
2009048858.tif 000004
【図３】
2009048858.tif 000005
【図４】
2009048858.tif 000006
【図５】
2009048858.tif 000007
【図６】
2009048858.tif 000008
【図７】
2009048858.tif 000009
【図８】
2009048858.tif 000010
【図９】
2009048858.tif 000011
【図１０】
2009048858.tif 000012
【図１１】
2009048858.tif 000013
【図１２】
2009048858.tif 000014
【図１３】
2009048858.tif 000015
【図１４】
2009048858.tif 000016